(57)【要約】  【課題】庫内の照明としてＬＥＤを使用した冷蔵庫において、幻惑現象によって視認性が低下する課題を解決することを目的とする。  【解決手段】庫内の照明として冷蔵室奥面に取りつけられた最上段ＬＥＤ１００と中段ＬＥＤ１０１と最下段ＬＥＤ１０２と、最上段近接センサー１０３と中段近接センサー１０４と最下段近接センサー１０５と、ＬＥＤ１００〜１０２の光度を調節する光度可変手段１１１と、近接センサー１０３〜１０５からの入力に基づいて光度可変手段を制御する制御手段とを備え、人が庫内の棚に手を伸ばした動作を検出することにより、各棚のＬＥＤの光度を各々最適な明るさに設定することで、視認性を上げて取り出しやすくすることができる。【選択図】図１
2008292049.tif 000002
【特許請求の範囲】
【請求項１】
仕切り板によって区画された複数の収納室と、前記収納室の奥面に設けられドア側に向けて照射するＬＥＤと、前記ＬＥＤの光度を調整する光度可変手段と、前記収納室に手が接近したことを検知する人感検出手段と、前記光度可変手段を制御する制御手段とを備え、手が接近した前記収納室のＬＥＤの光度を下げることを特徴とする冷蔵庫。
【請求項２】
庫外の明るさを検出する照度検出手段を備え、冷蔵庫が設置されている部屋の明るさに応じて、前記手が接近した収納室のＬＥＤの光度を可変することを特徴とする請求項１に記載の冷蔵庫。
【請求項３】
仕切り板によって区画された複数の収納室と、前記収納室の奥面に設けられドア側に向けて照射するＬＥＤと、前記ＬＥＤの光度を調整する光度可変手段と、前記収納室に手が接近したことを検知する人感検出手段と、前記光度可変手段を制御する制御手段とを備え、手が接近した前記収納室に隣接する収納室のＬＥＤの光度を上げることを特徴とする冷蔵庫。
【請求項４】
庫外の明るさを検出する照度検出手段を備え、冷蔵庫が設置されている部屋の明るさに応じて、前記手が接近した収納室に隣接する収納室のＬＥＤの光度を可変することを特徴とする請求項３に記載の冷蔵庫。
【請求項５】
前記光度可変手段を制御する制御手段を有効または無効にするＯＮ／ＯＦＦ切替スイッチを備えたことを特徴とする請求項１から４のいずれか一項に記載の冷蔵庫。
【発明の詳細な説明】
【技術分野】
【０００１】
本発明は、ＬＥＤを使った庫内照明を備えた冷蔵庫に関するものである。
【背景技術】
【０００２】
従来、この種の冷蔵庫は庫内照明としてＬＥＤを使用したものが発売されている（例えば、特許文献１参照）。
【０００３】
上記従来の冷蔵庫の庫内照明を図６から図８に基づいて説明する。図６は従来の冷蔵庫の庫内照明図、図７は従来の冷蔵庫の斜視図、図８は従来の冷蔵庫のＬＥＤ特性図である。
【０００４】
図６、図７において、冷蔵庫内照明装置は実装基板１と、半導体発光素子２と、断熱板３とを有して構成されて、冷蔵庫４の内部に設置される。実装基板１は、熱伝導性の良好ないわゆる金属基板により、平板状に形成され、金属板１１の一面１１ａがエポキシ等の絶縁性樹脂皮膜でもって被覆され、さらにその絶縁性樹脂皮膜の一面１１ａ側へ銅からなる回路パターン（図示せず）が形成される。半導体発光素子２は、日亜化学工業株式会社製のいわゆる白色ＬＥＤであり、砲弾状に形成され、蛍光体を含有した集光レンズを有して、青色を発光する発光体が内蔵されるとともに、電流を通電する２本の通電端子２１が導出される。図８に示すように、波長が可視光線領域内、すなわち、約４６０ｎｍで相対発光強度ピークを有する約４２０乃至約７８０ｎｍの光線を発光するとともに、その約４２０乃至約７８０ｎｍにおける光線の波長を連続的に出力して白色光を発光する。つまり、波長が可視光線領域内にある波長の光線のみを発光し、７８０ｎｍを越えた赤外線領域にある波長の光線を発光しない。
【特許文献１】特開平１１−１５９９５３号公報
【発明の開示】
【発明が解決しようとする課題】
【０００５】
しかしながら、従来の構造において、庫内照明として上記ＬＥＤを冷蔵庫庫内奥面に設置した場合、ＬＥＤ光は指向性が強いため、ＬＥＤの照射方向では眩惑現象で庫内の食品が見えづらいという課題を有していた。
【０００６】
本発明は、上記従来の課題を解決するもので、収納室内に近づいた手の位置を検出することで、目的物を認識しやすいようにＬＥＤの光度を部分的に調整することができる冷蔵庫を提供することを目的とする。
【課題を解決するための手段】
【０００７】
上記従来の課題を解決するために、本発明の冷蔵庫は、仕切り板によって区画された複数の収納室と、前記収納室の奥面に設けられドア側に向けて照射するＬＥＤと、前記ＬＥＤの光度を調整する光度可変手段と、前記収納室に手が接近したことを検知する人感検出手段と、前記光度可変手段を制御する制御手段とを備え、手が接近した前記収納室のＬＥＤの光度を下げるものである。
【０００８】
これにより、食品に照射されずに直接目に照射されるＬＥＤ光が弱められ、食品の視認性を高めることができる。
【発明の効果】
【０００９】
本発明の冷蔵庫は、庫内を照明するＬＥＤによる眩惑作用によって食品が認識しづらくなる状態を防止することができ、使い勝手が向上する。
【発明を実施するための最良の形態】
【００１０】
請求項１に記載の発明は、仕切り板によって区画された複数の収納室と、前記収納室の奥面に設けられドア側に向けて照射するＬＥＤと、前記ＬＥＤの光度を調整する光度可変手段と、前記収納室に手が接近したことを検知する人感検出手段と、前記光度可変手段を制御する制御手段とを備え、手が接近した前記収納室内のＬＥＤの光度を下げることにより、食品に照射されずに直接目に照射されるＬＥＤ光が弱められ、食品が見えづらくなることを防ぐことができる。
【００１１】
請求項２に記載の発明は、請求項１に記載の発明において、庫外の明るさを検出する照度検出手段を備え、冷蔵庫が設置されている部屋の明るさに応じて、前記手が接近した収納室のＬＥＤの光度を可変するものであり、自然光を補助光として利用できるため、ＬＥＤ光をさらに弱めてＬＥＤ光による発熱を最小限に抑えることができる。
【００１２】
請求項３に記載の発明は、仕切り板によって区画された複数の収納室と、前記収納室の奥面に設けられドア側に向けて照射するＬＥＤと、前記ＬＥＤの光度を調整する光度可変手段と、前記収納室に手が接近したことを検知する人感検出手段と、前記光度可変手段を制御する制御手段とを備え、手が接近した前記収納室に隣接する収納室のＬＥＤの光度を上げることにより、目的の食品近傍の照度が上がり視認性を向上させることができる。
【００１３】
請求項４に記載の発明は、請求項３に記載の発明において、庫外の明るさを検出する照度検出手段を備え、冷蔵庫が設置されている部屋の明るさに応じて、前記手が接近した収納室に隣接する収納室のＬＥＤの光度を可変するものであり、自然光を補助光として利用できるため、常に一定の照度が保たれると同時にＬＥＤ光による発熱を最小限に抑えることができる。
【００１４】
請求項５に記載の発明は、請求項１から４のいずれか一項に記載の発明において、前記光度可変手段を制御する制御手段を有効または無効にするＯＮ／ＯＦＦ切替スイッチを備えたものであり、庫内の清掃時やメンテナンス時等で常時一定の光度を確保したい場合には、ＯＮ／ＯＦＦ切替スイッチにより制御手段を無効にして一定光度で庫内を照射することができる。
【００１５】
以下、本発明の実施の形態について、図面を参照しながら説明するが、従来例または先に説明した実施の形態と同一構成については同一符号を付して、その詳細な説明は省略する。なお、この実施の形態によってこの発明が限定されるものではない。
【００１６】
（実施の形態１）
図１は、本発明の実施の形態１における冷蔵庫の正面図（ＬＥＤを使った照明のある冷蔵室のドアを開けた状態）、図２は冷蔵庫の側断面図（ドアは図示せず）であり、以下図１、図２を参照しながら説明する。
【００１７】
図１および図２において、最上段ＬＥＤ１００と中段ＬＥＤ１０１と最下段ＬＥＤ１０２は庫内の照明として冷蔵室奥面に取りつけられている。人感検出手段として、最上段近接センサー１０３と中段近接センサー１０４と最下段近接センサー１０５は、それぞれ１０６〜１０８の検知範囲を有しており、人１０９がそれぞれの段に手を伸ばした際に状態を検出し、制御手段１１０へ検出信号を伝える。制御手段１１０はその情報に基づいて１００〜１０２のＬＥＤの光度を調節すべく光度可変手段１１１を制御する。
【００１８】
以上のように構成された冷蔵庫において、以下に動作説明を行う。人１０９が最上段へ手を伸ばした場合、最上段近接センサー検知範囲１０６にかかるため、最上段近接センサー１０３が検出信号を制御手段１１０へ伝える。すると制御手段１１０は光度可変手段１１１を制御し最上段ＬＥＤ１００の電流を減らして（例えばＬＥＤに流れる電流を制限するために直列に挿入している可変抵抗の抵抗値を大きくする）光度を下げる（ＬＥＤ光１１２を暗くする）。同様に中段に手を伸ばした場合は中段近接センサー１０４が検出し制御手段１１０は中段ＬＥＤ１０１の光度を下げ、最下段に手を伸ばした場合は最下段近接センサー１０５が検出し制御手段１１０は最下段ＬＥＤ１０２の光度を下げる。
【００１９】
以上のように、本発明の形態においては、人が手を伸ばした棚の奥のＬＥＤを暗くすることにより、食品に照射されずに直接目に照射されるＬＥＤ光が弱められ、食品が見えづらくなることを防ぐことができる。
【００２０】
（実施の形態２）
図３は、本発明の実施の形態２における冷蔵庫の側断面図（ドアは図示せず）であり、以下図３を参照しながら説明する。
【００２１】
図３において、２００は近接センサー１０３〜１０５の検知信号を受けてＬＥＤ１００〜１０２の光度を調節する制御手段である。
【００２２】
以上のように構成された冷蔵庫において、以下に動作説明を行う。人１０９が中段へ手を伸ばした場合中段近接センサー検知範囲１０７にかかるため、中段近接センサー１０４が検出信号を制御手段２００へ伝える。すると制御手段２００は光度可変手段１１１を制御し中段ＬＥＤ１０１の電流を減らして光度を下げるとともに、最上段ＬＥＤ１００と最下段ＬＥＤ１０２の電流を増やして光度を上げる。
【００２３】
以上のように、本発明の形態においては、暗くしたＬＥＤの近傍のＬＥＤの光度を上げることにより、食品を周囲からの間接光で明るく照らすことができ、より一層見やすくできる。
【００２４】
（実施の形態３）
図４は、本発明の実施の形態３における冷蔵庫の側断面図（ドアは図示せず）であり、以下図４を参照しながら説明する。
【００２５】
図４において、３００は冷蔵庫の設置された部屋の明るさを測る照度センサー（照度検出手段）３０１と近接センサー１０３〜１０５の検知信号を受けてＬＥＤ１００〜１０２の光度を調節する制御手段である。
【００２６】
以上のように構成された冷蔵庫において、以下に動作説明を行う。人１０９が中段へ手を伸ばした場合中段近接センサー検知範囲１０７にかかるため、中段近接センサー１０４が検出信号を制御手段３００へ伝える。一方、制御手段３００は照度センサー（照度検出手段）３０１からの電流値Ａに応じてＬＥＤ１０１の電流値の補正係数Ｋが決定され、光度可変手段１１１にデータが送られる。よって、ＬＥＤ１０１の電流値Ａは補正前の電流値Ａ'に補正係数Ｋを乗算した値（Ａ＝Ａ'×Ｋ）となり光度が補正される。部屋の明るさが明るければＫの値は小さくなりＬＥＤ１０１の光度は低下し、逆に部屋が暗くなるにつれてＫは大きくなって、ＬＥＤ１０１の光度は上がる。照度センサー（照度検出手段）３０１からの電流値Ａと補正係数Ｋはあらかじめ実験的に最適な相関式が決定され、制御テーブルとして制御手段３００に情報として組み込まれている。同様にして、ＬＥＤ１００、ＬＥＤ１０２の光度補正が行われる。すなわち、冷蔵庫が設置されている部屋での自然光を利用することで、ＬＥＤへの電流量を減らして消費電力を抑えることができる。
【００２７】
（実施の形態４）
図５は、本発明の実施の形態４における冷蔵庫の側断面図（ドアは図示せず）であり、以下図５を参照しながら説明する。
【００２８】
図５において、５００は冷蔵庫が設置された部屋の明るさを測る照度センサー（照度検出手段）３０１と近接センサー１０３〜１０５の検知信号を受けてＬＥＤ１００〜１０２の光度を調節する制御手段であり、光度を調節する機能をＯＮ／ＯＦＦするための切替スイッチ５０１がつながっている。
【００２９】
以上のように構成された冷蔵庫において、切替スイッチ５０１をＯＮにしている時はＯＮ信号を制御手段５００へ入力し、前記実施の形態１〜３の人１０９が手を伸ばした位置によるＬＥＤ１００〜１０２の光度制御を行い、切替スイッチ５０１をＯＦＦにしている時はＯＦＦ信号を制御手段５００へ入力し光度制御を行わない。
【００３０】
以上のように、本発明の形態においては、切替スイッチ５０１により前記実施の形態１〜３において、人１０９が手を伸ばした位置によるＬＥＤ１００〜１０２の光度制御を有効または無効にできるため、庫内の清掃時やメンテナンス時等で常時一定の光度を確保したい場合には、制御手段を無効にして一定光度で庫内を照射することができる。
【産業上の利用可能性】
【００３１】
以上のように本発明にかかる冷蔵庫は、取り出したい食品の近傍の照度をコントロールすることで視認性を高め、さらに消費電力を抑えることができるので、ＬＥＤを使った庫内照明を用いる機器全般に適用できる。
【図面の簡単な説明】
【００３２】
【図１】本発明による実施の形態１における冷蔵庫の正面図
【図２】本発明による実施の形態１における冷蔵庫の側断面図
【図３】本発明による実施の形態２における冷蔵庫の側断面図
【図４】本発明による実施の形態３における冷蔵庫の側断面図
【図５】本発明による実施の形態４における冷蔵庫の側断面図
【図６】従来の冷蔵庫の庫内照明図
【図７】従来の冷蔵庫の斜視図
【図８】従来の冷蔵庫のＬＥＤ特性図
【符号の説明】
【００３３】
１００  最上段ＬＥＤ
１０１  中段ＬＥＤ
１０２  最下段ＬＥＤ
１０３  最上段近接センサー（人感検出手段）
１０４  中段近接センサー（人感検出手段）
１０５  最下段近接センサー（人感検出手段）
１０６  最上段近接センサー検知範囲
１０７  中段近接センサー検知範囲
１０８  最下段近接センサー検知範囲
１０９  人
１１０  制御手段
１１１  光度可変手段
１１２  ＬＥＤ光
２００  制御手段
３００  制御手段
３０１  照度センサー（照度検出手段）
５００  制御手段
５０１  機能ＯＮ／ＯＦＦ切替スイッチ
【図１】
2008292049.tif 000003
【図２】
2008292049.tif 000004
【図３】
2008292049.tif 000005
【図４】
2008292049.tif 000006
【図５】
2008292049.tif 000007
【図６】
2008292049.tif 000008
【図７】
2008292049.tif 000009
【図８】
2008292049.tif 000010